(57)【特許請求の範囲】
【請求項１】
各種物品を板状取付部に固着する際に前記物品と板状取付部との間に介在し、物品と板状取付部との相対位置を固定する物品取付部材であって、
前記板状取付部の片面側に配され、前記物品を位置決めする固定部と、
前記固定部に回転自在に取り付けられ、前記板状取付部に直交する方向に突出するボルト部と、
前記ボルト部に平行に配された第１ガイド部と、
前記ボルト部に螺合されると共に、ボルト部の回転により前記第１ガイド部にガイドされて移動する移動体と、
この移動体に枢着され、ボルト部と直交する軸線回りを自由に揺動する押え部材と、
前記押え部材を、その枢着部を中心としてボルト部に平行な第１位置と、ボルト部に直交する第２位置との間を案内する第２ガイド部と、
を有してなることを特徴とする物品取付部材。
【請求項２】
前記押え部材は、前記第２ガイド部に当接する当接駒を備えてなる請求項１記載の物品取付部材。
【請求項３】
前記第２ガイド部は前記ボルト部の端部近傍に配されてなる請求項１記載の物品取付部材。
【請求項４】
前記ボルト部及び押え部材が、それぞれ複数個設けられてなる請求項１記載の物品取付部材。
【請求項５】
前記物品取付部材が水栓用である請求項１記載の物品取付部材。
【発明の詳細な説明】
【０００１】
【発明の属する技術分野】
本発明は、各種物品を板状取付部に固着する際に、前記物品と板状取付部との間に介在させて、物品と板状取付部との相対位置を固定する物品取付部材に関するものであり、特に、前記物品取付部材を前記板状取付部の片面側からの施工のみで強固に固着することを可能にした物品取付部材に関する。
【０００２】
【従来の技術】
内側からの施工が困難な場所に各種物品を取り付ける場合に、板状取付部に形成された物品取付穴に押え具を挿入し、その後、前記押え具の位置を変更して同押え具が取付穴の径よりも大きくなるようにし、同押え具により取付穴の周縁を挟み込む物品取付部材が多数提案されている。
【０００３】
例えば、特開平１０−６０９６３号公報には、カウンターに形成された円形の取付穴に水栓を取り付ける際に、前記取付穴と水栓との間に介在するアダプタが記載されている。このアダプタは、カウンターの表面側からの施工のみで前記取付穴に固着できるように構成されている。
【０００４】
前記アダプタは、挟持部材をカウンターの表面側から取付穴に挿通し、同取付穴の軸線と直交する方向、即ち、カウンターと平行な方向にアダプタを移動させることにより、前記挟持部材を前記カウンターの裏面に係合する位置まで移動させ、その後、同挟持部材を締付手段により締めつけてアダプタと挟持部材とでカウンターの取付穴の周縁を挟持し、固着している。
【０００５】
具体的には、前記挟持部材はアダプタの軸線方向に配されたボルトの端部に取り付けられており、且つ挟持部材にはカム面が形成されている。前記挟持部材の先端を取付穴の中心に向けて取付穴に挿入し、前記カム面を取付穴の内周面に当接させた状態で前記アダプタをカウンター表面に沿って移動させることにより、前記挟持部材がカム面により回動する。それにより挟持部材の先端が前記取付穴の径方向に外側に向けて位置することになり、前記アダプタと挟持部材とにより前記取付孔の周縁が挟持される。更に、カム面により挟持部材のそれ以上の回動を阻止した状態で、ボルトを締めつけることにより、前記挟持部材とアダプタとが締め付けられる。
【０００６】
またこの他にも、例えば、取付穴に挿入した押え具を、前記取付穴の軸線に対して直交する方向に移動させ、取付穴の周縁を挟み込む物品取付部材がある。
【０００７】
【発明が解決しようとする課題】
上記公報に開示されたアダプタにあっては、前記挟持部材を取付穴に挿通させたのち、同挟持部材を取付穴の軸線に直交する方向、即ちカウンター面と平行な方向に移動させて取付穴の周縁に係合させ、同挟持部材とアダプタとにより取付穴の周縁を挟持するものである。
【０００８】
そのため、上述したように、アダプタのカウンター面に沿った移動に伴って、前記挟持部材のカム面により同挟持部材をカウンター面と平行な方向に自動的に回動させる場合には、複数の前記挟持部材を円形取付穴の半円側にしか形成することができず、他の半円側ではアダプタを取付穴の周縁に固着することができない。そのため、アダプタのカウンターに対する固着強度が取付穴の周方向に均等に分布されず、固着強度が不充分となる惧れもある。
【０００９】
また、上記公報のアダプタのように、挟持部材をカウンター面に平行に移動させて取付穴の周縁をアダプタ本体と挟持部材とにより挟持する。このような挟持部材を、取付穴の全周に均一な間隔で複数設けようとすれば、前記挟持部材を取付穴に挿入し、前記挟持部材を個々に回動させて取付穴の周縁に係合させた後、ボルトを締め付ける際に、挟持部材の回動を阻止するために何らかの手段を講じなければならない。また、前記挟持部材はボルトの先端に回動自在に取り付けられているため、容易に回動する複数の挟持部材を全て内側に向けた状態を維持しながら、同挟持部材を取付穴に挿入する作業は煩雑となり、作業効率が著しく低下する。
【００１０】
また、押え具を取付穴の軸線に対して直交する方向に移動させる上述の物品取付具にあっては、一旦、取り付けられて軸線と直交する方向になった押え具を、再び前記軸線方向に戻して取付穴から取り外すことは極めてむずかしい。
【００１１】
本発明はかかる問題を解決すべくなされたものであり、物品を板状取付部に固着する際に、前記物品と板状取付部との間に介在させる物品取付部材であって、前記板状取付部の片面側からのみの施工により、容易に且つ均一な強度で前記取付部に取り付けられ、その取付け作業性も良く、物品を取付部に確実に固着することができる物品取付部材を提供することを目的としている。更には、必要に応じて、容易に取り外しが可能な物品取付部材を提供することを目的としている。
【００１２】
【課題を解決するための手段】
上記目的を達成するために、本件請求項１に係る発明は、各種物品を板状取付部に固着する際に前記物品と板状取付部との間に介在し、物品と板状取付部との相対位置を固定する物品取付部材であって、前記板状取付部の片面側に配され、前記物品を位置決めする固定部と、前記固定部に回転自在に取り付けられ、前記板状取付部に直交する方向に突出するボルト部と、前記ボルト部に平行に配された第１ガイド部と、前記ボルト部に螺合されると共に、ボルト部の回転により前記第１ガイド部にガイドされて移動する移動体と、この移動体に枢着され、ボルト部と直交する軸線回りを自由に揺動する押え部材と、前記押え部材を、その枢着部を中心としてボルト部に平行な第１位置と、ボルト部に直交する第２位置との間を案内する第２ガイド部とを有してなることを特徴としている。
【００１３】
上記物品取付部材を、例えば板状取付部に形成された取付穴に取り付けるためには、先ず、前記押え部材をボルト部に平行な第１位置に位置させ、その状態で前記ボルト部と押え部材とを取付穴に挿通する。その後、固定部を取付穴の周縁に密着させて位置決めし、ボルト部を回転させる。
【００１４】
このボルト部の回転により前記移動体にも回転力が作用するが、同移動体は前記第１ガイド部にガイドされいるため回転せずに前記ボルト部に沿って前記固定部に向けて移動する。このとき、前記移動体に枢着された押え部材は、前記ボルト部と直交する軸線回りを、前記ボルト部に直交する第２位置まで揺動する。
【００１５】
更に前記ボルト部を回転させることにより、前記移動体の移動に伴い前記第２位置にある押え部材が前記固定部に向けて移動し、同押え部材と前記固定部とにより前記取付穴の周縁を挟持して、物品取付部材が取り付けられる。
【００１６】
このように、ボルト部及び押え部材を取付穴に挿通する際には、前記押え部材が前記第２ガイド部により前記ボルト部と平行な第１位置にガイドされているため、その挿通作業時に前記押え部材が前記取付穴の径方向外側に突出することがなく、挿通作業を容易に行うことができる。
【００１７】
また、前記物品取付部材を取り付ける作業は、取付部の片面側からの施工のみであり、その作業も単にボルトを回転させるだけで容易な作業であるため、作業効率が著しく向上する。
【００１８】
更には、ボルトを逆に回転させることにより、前記押え部材による挟持を緩め、更には同押え部材を再び前記ボルト部と平行な第１位置まで戻して、取付部から容易に取り外すことができる。そのため、本発明の物品取付部材は、従来のアダプタのように物品と板状取付部との間に介在させたまま使用することができるのは勿論のこと、必要に応じて作業後に取り外す治具としても使用可能である。
【００１９】
本件請求項２に係る発明によれば、前記押え部材は、前記第２ガイド部に当接する当接駒を備えている。一端が前記移動体に枢着された前記押え部材は、その当接駒が前記第２ガイド部の案内面に当接しながら移動して、自由端部の自重により自動的に揺動し、その揺動角度を第１位置から第２位置へと移動する間に変更して、その姿勢を例えば垂直姿勢から水平姿勢へと制御する。
【００２０】
また、本件請求項３に係る発明によれば、前記第２ガイド部は前記ボルト部の端部近傍に配されている。このように第２ガイド部を前記ボルト部の端部近傍に配することにより、前記第２ガイド部が操作の邪魔になることがない。前記ボルト部及び前記第２ガイド部を物品取付部材の外周縁部に配する場合には、取付物品や取付穴との干渉が避けられるため好ましい。また、前記ボルト部の端部において前記第２ガイド部によって前記押え部材を同ボルト部に平行な第１位置に仮固定することができるため、ボルト部及び押え部材の取付穴等の取付部への挿通作業を容易に行うことができる。
【００２１】
更に、本件請求項４に係る発明は、前記ボルト部及び押え部材が、それぞれ複数個設けられている。前記ボルト部及び押え部材をそれぞれ複数個設けることにより、物品取付部材を板状取付部により強固に取り付けることが可能になる。なお、その個数は物品や取付部の大きさ等を考慮して適宜設定されるものであるが、例えば流し台や洗面台などのカウンターに形成された取付穴に水栓を固着する場合に使用される物品取付部材にあっては、前記ボルト部及び押え部材は２〜４個、設けることが好ましい。
【００２２】
本件請求項５に係る発明によれば、前記物品取付部材は水栓用である。
従来、水栓を流し台や洗面台に固着するためには、水栓を固着するための施工を流し台や洗面台のカウンターの裏面側から行わなければならず、その流し台や洗面台の狭くて暗い場所での作業であるため作業性が悪く、専用の工具が必要となったり、取付時間に長時間を要するといった問題があった。しかしながら、本発明の物品取付部材を用いることにより、流し台や洗面台のカウンターの表面側からの施工のみで水栓を強固に固定することができ、その作業性も向上し短時間での取付けが可能である。
【００２３】
【発明の実施形態】
以下、本発明の好適な実施の形態について、図面を参照して具体的に説明する。図１は本発明の好適な実施例である、水栓をカウンターに形成された取付穴に取り付ける際に両者の間に介在される物品取付部材の斜視図である。
【００２４】
前記物品取付部材１０は円筒リング状をなす固定部１を備えている。同固定部１はカウンターに形成された取付穴と略同一の内径であり、一端には前記取付穴の周縁表面に密着するフランジ１ａが外径方向に延設されている。更に固定部１は水栓の下端部を固定するための適宜固定手段が備えられている。
【００２５】
前記固定部１の内周面には対角線上に一対のボルト部２Ａ，２Ｂが回転自在に取り付けられており、前記フランジ１ａに直交する方向に突出している。更に前記ボルト部２Ａ，２Ｂの近傍には同ボルト部と同一の長さ寸法をもつガイド杆３が、前記ボルト部２Ａ，２Ｂと平行に配されている。なお、このガイド杆３が本発明の第１ガイド部を構成している。
【００２６】
更に、前記ボルト部２Ａ，２Ｂ及びガイド杆３の先端はサポート板４により支持されている。このサポート板４には、後述する押え部材７の当接駒８をガイドするための本発明の第２ガイド部を構成するカム部材５が、前記ボルト部２Ａ，２Ｂの近傍に同ボルト部２Ａ，２Ｂと平行に形成されている。同カム部材５はその先端にカム面５ａが形成されている。
【００２７】
なお、図１にあっては、図面左側のボルト部２Ａは物品取付部材１０を取付穴に固着する前の状態を示し、右側のボルト部２Ｂは物品取付部材１０を取付穴に固着した状態を示している。
【００２８】
前記ボルト部２Ａ，２Ｂには移動体６が螺合しており、同移動体６には押え部材７が枢着されている。この移動体６及び押え部材７の斜視図を図２に示す。  前記移動体６にはブロック体からなり、前記ボルト部２Ａ，２Ｂに螺合するネジ孔６ａを有している。更に、第１ガイド部である前記ガイド杆３に係合するガイド杆係合溝６ｂを備えている。そのため、前記ボルト部２Ａ，２Ｂを回転させることにより、前記移動体６は回動することなく、前記ガイド杆３に案内されて前記ボルト部２Ａ，２Ｂに沿って上下に移動可能である。
【００２９】
前記押え部材７は、一対のプレート材７ａ，７ａからなり、同プレート材７ａの長手方向の略半部は一側縁を連結して断面略コ字状に形成されている。他端は前記移動体６を挟んた状態で同移動体６から突出している軸部６ｃを中心として揺動可能に枢着されている。
【００３０】
更に、前記押え部材７のプレート材７ａには外側に、前記カム部材５に当接する当接駒８が突設されている。この当接駒８が前記カム部材５にガイドされ、図３に示すように、前記移動体６が前記ボルト部２Ａ，２Ｂの先端（下端）に位置するときに、前記押え部材７が前記ボルト部２Ａ，２Ｂに平行な第１位置にガイドされる。更に、前記移動体６が上方に移動するのにともなって、前記押え部材７の当接駒８が前記カム部材５のカム面５ａによりガイドされながら、前記押え部材７の自由端がその自重により下方へと揺動する。そして、前記当接駒８が前記軸部５ｅに当接し、前記押え部材７は前記ボルト部２Ａ，２Ｂに直交する第２位置に支持される。
【００３１】
かかる構成を備えた物品取付部材１０をカウンターに形成された取付穴に固着するには、先ず、各移動体６をボルト部２Ａ，２Ｂの先端（下端）に位置させる。このとき、上述したように、前記カム部材５が押え部材７の当接駒８をガイドし、前記押え部材７が自由端を上方に向けて揺動し、ボルト部２Ａに平行な第１位置にガイドされ、前記当接駒８が前記カム部材５の側縁に当接して前記第１位置に保持される。
【００３２】
この状態で、前記物品取付部材１０の前記ボルト部２Ａ，２Ｂと押え部材７とを取付穴に挿通させる。このとき、上述したように、前記押え部材７はカム部材５により前記ボルト部２Ａ，２Ｂに平行な第１位置にガイドされ、同第１位置に確実に保持されている。そのため、挿通作業中に前記押え部材７が揺動して取付穴の径方向外側に突出することはなく、挿通作業を容易に行うことができる。
【００３３】
前記物品取付部材１０の前記ボルト部２Ａ，２Ｂと押え部材７とを取付穴に挿通させ、前記固定部１のフランジ１ａを前記取付穴の周縁に密着させる。その後、前記ボルト部２Ａ，２Ｂを回転させる。このとき、前記移動体６にも回転力が加わるが、同移動体６に形成されたガイド杆係合溝６ｂに前記ガイド杆３が係合しているため、同移動体６は回転が規制され、前記ボルト部２Ａ，２Ｂに沿って上方へと移動する。
【００３４】
前記移動体６と共に前記押え部材７は、ボルト部２Ａ，２Ｂに沿って上方へ移動する際、図４に示すように、同押え部材７の当接駒８が前記カム部材５のカム面５ａにガイドされてボルト部２Ａ，２Ｂに直交する第２位置まで揺動する。更に、押え部材７がカム部材５の高さを越えて上方へと移動すると、同押え部材７の当接駒８が前記移動体６の軸部５ｃに当接し、上述したように、前記ボルト部２Ａ，２Ｂに直交する第２位置を保持する。
【００３５】
この状態で前記ボルト部２Ａ，２Ｂを更に回動させ、前記押え部材７を上昇させて、前記固定部１のフランジ１ａと同押え部材７とにより前記取付穴の周縁部を挟持し、前記物品取付部材１０が取り付けられる。
【００３６】
このように、前記物品取付部材１０は、ボルト部２Ａ，２Ｂと押え部材７とを取付穴に挿通させる作業時には、前記押え部材７が前記ボルト部２Ａ，２Ｂに平行な第１位置に保持され、径方向に突出することがないため、取付穴が小さい場合にも挿通作業を極めて容易に行うことができる。
【００３７】
また、挿通作業後には、前記ボルト部２Ａ，２Ｂを回動させるだけで、前記押え部材７がカム部材５に案内されて自動的にボルト部２Ａ，２Ｂに対して直交する第２位置、即ち、取付穴の径方向に延在し、同押え部材７と固定部１とにより前記取付穴の周縁を挟持して強固に取り付けられる。このように、小さな取付穴であっても、表面側からのみの施工で取り付けが可能である。
【００３８】
また、必要に応じて前記物品取付部材１０を取り外す際にも、前記ボルト部２Ａ，２Ｂを取付時とは反対の方向に回動させるだけで、前記移動体６と共に押え部材７が下方へと移動し、押え部材７の当接駒８がカム部材５にガイドされて同押え部材７が揺動してボルト部２Ａ，２Ｂに平行な第１位置に保持されるため、取り外しの作業も極めて容易である。
【００３９】
なお、上述した実施形態では、円筒形状の固定部１を採用しているが、取り付けられる物品や取付穴の形状に応じて、多角形状の枠体などを採用することもできる。また、ボルト部２Ａ、２Ｂの配設本数も二本に限定されるものではなく、取付穴の寸法や形状、固着強度に応じて適宜、設定が可能である。その場合、取付穴の周縁に均一な強度で固着するためには、均一な間隔でボルト部を配設することが好ましい。
【図面の簡単な説明】
【図１】本発明の好適な実施形態による物品取付部材の斜視図である。
【図２】前記物品取付部材の移動体及び押え部材の斜視図である。
【図３】前記物品取付部材を取付穴に挿通する際の押え部材の状態を示す斜視図である。
【図４】前記物品取付部材のボルト部の回転初期の押え部材の状態を示す斜視図である。
【符号の説明】
１          固定部
１ａ        フランジ
２Ａ，２Ｂ  ボルト部
３          ガイド杆
４          サポート板
５          カム部材
５ａ        カム面
６          移動体
６ａ        ネジ孔
６ｂ        ガイド杆係合溝
６ｃ        軸部
７          押え部材
７ａ        プレート材
８          当接駒
１０          物品取付部材
【図１】
0004522544.tif 000002
【図２】
0004522544.tif 000003
【図３】
0004522544.tif 000004
【図４】
0004522544.tif 000005